(57)【要約】【課題】  組み立て工数とコストが削減されたカードリーダ装置用のコネクタ配置基板構造とそれを用いたイメージスキャナー装置とを提供すること。【解決手段】  コネクタ配置基板構造１０１は、基板５１と、前記基板５１の表裏をなす二面の夫々に少なくとも１種のメモリーカードコネクタ１ａ，１ｂ，１ｃ，１ｄ，１ｅを、開口を一端側に揃えて搭載した。【選択図】      図１
2005107945.tif 000002
【特許請求の範囲】
【請求項１】
基板と、前記基板の表裏をなす二面の夫々に少なくとも１種のメモリーカードコネクタを、開口を一端側に揃えて搭載したことを特徴とするコネクタ配置基板構造。
【請求項２】
請求項１記載のコネクタ配置基板構造において、前記一面に搭載されるコネクタは、当該基板への取付部を前記一面側に備え、前記他面に搭載されるコネクタは前記他面側に基板取付部を備えていることを特徴とするコネクタ配置基板構造。
【請求項３】
請求項１記載のコネクタ配置基板構造において、前記一面に搭載されるコネクタは、当該メモリーカードの接触部に対応するように、当該コネクタのスロット内に接点部を備え、前記他面に搭載されるコネクタは、当該メモリーカードの接触部に対応するように、当該コネクタのスロット内に接点部を備えていることを特徴とするコネクタ配置基板構造。
【請求項４】
請求項２乃至３の内いずれか一つに記載のコネクタ配置基板構造において、前記一面に搭載されるコネクタは、メモリースティック用コネクタ、ｘＤピクチャーカード用コネクタおよびコンパクトフラッシュ（登録商標）用コネクタであり、前記他面に搭載されるコネクタは、スマートメディア用コネクタおよびＳＤカード用コネクタであることを特徴とするコネクタ配置基板構造。
【請求項５】
請求項１乃至４の内のいずれか一つに記載のコネクタ配置基板構造を備えたことを特徴とするメモリーカードリーダ装置。
【請求項６】
請求項５記載のメモリーカードリーダ装置と、光ディスク記録再生装置とを備えていることを特徴とするデータ記録装置。
【発明の詳細な説明】
【技術分野】
【０００１】
本発明はメモリーカードリーダ装置に関し、詳しくは、パーソナルコンピュータ等に搭載されるメモリーカードリーダ装置のコネクタの配置構造に関する。
【背景技術】
【０００２】
従来、この種のメモリーカードとしては、メモリーステック、コンパクトフラッシュ（登録商標）、スマートメディア、ＳＤカード、マルチメディアカード（ＭＭＣ）、マイクロドライブ、ＵＳＢメモリ、及びｘＤピクチャーカード等がある。
【０００３】
各種カードを読み取る装置としてメモリーカードリーダ装置があるが、各カードごとに仕様が異なるために、各カードの種類に対応して、専用のコネクタを備えた装置を必要としている。
【０００４】
また、一般に使用するデジタル電子機器によってメモリーカードの種類が異なるために、これらのメモリーカードの専用コネクタを複数備えたメモリーカードリーダ装置も提案されている。
【０００５】
また、特許文献１には、スマートメディア、メモリスティック、コンパクトフラッシュ（登録商標）等の３種類のメモリスロットを正面に備えたメモリーカードリーダ装置が提案されている。
【０００６】
一方、特許文献２には、複数のカード挿入口を備えたデータ読み取りユニットと、このデータ読み取りユニットを挿入するためのカード収容コネクタを備えたデータ読み取りモジュールとを備えたメモリーカードリーダ装置が開示されている。
【０００７】
しかしながら、複数種のメモリーカード夫々に対応するためのスロットを持たねばならず、結果として、データ読み取りユニット自体の大きさが大きくなるために、装置自体大型となるという欠点を備えている。
【０００８】
図１１は従来の複数種のメモリカードを読み込めるカードリーダライタ装置のコネクタ部分を備えた基板組み立て体を示す図である。図１１に示すように、第１の基板６１の一面側に、メモリースティック用コネクタ３ａ、ＳＤカード用コネクタ１ａ，ｘＤピクチャーカード用コネクタ４ａが配置され、一方、第２の基板６２の一面側に、コンパクトフラッシュ（登録商標）用コネクタ２ａ、他面側には、スマートメディア用コネクタが夫々配置されている。これら第１の基板及び第２の基板は、重ね合わされ、図示しないボードトゥボードコネクタによって電気接続され、所定間隔を置いて、保持部材６３，６４によって保持固定されている。
【０００９】
このように、従来のメモリリーダ装置のコネクタは、２枚の基板を用いて５種のコネクタを配置し、ボードトゥボードコネクタで繋いでいたためにコストがかかり、組み立て作業性が良くないという欠点を有した。
【特許文献１】実用新案登録第３０９１９３９号公報
【特許文献２】実用新案登録第３０９２７２８号公報
【発明の開示】
【発明が解決しようとする課題】
【００１０】
そこで、本発明の一技術的課題は、組み立て工数とコストが削減されたカードリーダ装置用のコネクタ配置基板構造を提供することにある。
【００１１】
また、本発明のもう一つの技術的課題は、薄型で且つメモリーカードの誤挿入を防止することができるカードリーダ装置用のコネクタ配置基板構造を提供することにある。
【００１２】
また、本発明のさらにもう一つの技術的課題は、上記コネクタ配置基板構造を備えたメモリーカードリーダ装置を提供することにある。
【課題を解決するための手段】
【００１３】
本発明によれば、基板と、前記基板の表裏をなす二面の夫々に少なくとも１種のメモリーカードコネクタを、開口を一端側に揃えて搭載したことを特徴とするコネクタ配置基板構造が得られる。
【００１４】
また、本発明によれば、前記コネクタ配置基板構造において、前記一面に搭載されるコネクタは、当該基板への取付部を前記一面側に備え、前記他面に搭載されるコネクタは前記他面側に基板取付部を備えていることを特徴とするコネクタ配置基板構造が得られる。
【００１５】
また、本発明によれば、前記コネクタ配置基板構造において、前記一面に搭載されるコネクタは、当該メモリーカードの接触部に対応するように、当該コネクタのスロット内に接点部を備え、前記他面に搭載されるコネクタは、当該メモリーカードの接触部に対応するように、当該コネクタのスロット内に接点部を備えていることを特徴とするコネクタ配置基板構造が得られる。
【００１６】
また、本発明によれば、前記いずれか一つに記載のコネクタ配線基板構造において、前記一面に搭載されるコネクタは、メモリースティック用コネクタ、ｘＤピクチャーカード用コネクタおよびコンパクトフラッシュ（登録商標）用コネクタであり、前記他面に搭載されるコネクタは、スマートメディア用コネクタおよびＳＤカード用コネクタであることを特徴とするコネクタ配置基板構造が得られる。
【００１７】
また、本発明によれば、前記いずれか一つのコネクタ配置基板構造を備えたことを特徴とするメモリーカードリーダ装置が得られる。
【００１８】
また、本発明によれば、前記メモリーカードリーダ装置と、光ディスク記録再生装置とを備えていることを特徴とするデータ記録装置が得られる。
【００１９】
上図のように配置することで、１枚の基板に５種のコネクタを搭載し、５インチベイに対応している。
【発明の効果】
【００２０】
本発明によれば、組み立て工数とコストが削減されたカードリーダ装置用のコネクタ配置基板構造を提供することができる。
【００２１】
また、本発明によれば、薄型で且つメモリーカードの誤挿入を防止することができるカードリーダ装置用のコネクタ配置基板構造を提供することができる。
【００２２】
また、本発明によれば、上記コネクタ配置基板構造を備えたメモリーカードリーダ装置を提供することができる。
【発明を実施するための最良の形態】
【００２３】
以下、本発明の実施の形態について図面を参照しながら説明する。
【００２４】
図１は本発明の実施の形態によるメモリカードリーダ装置を備えたデータ記録装置の外観を示す正面図である。図２は図１のデータ記録装置の平面図、図３は図１のデータ記録装置の背面図、図４は図１のデータ記録装置の底面図、図５はデータ記録装置の右側面である。図６はデータ記録装置の左側面図である。
【００２５】
図７は図２の状態から、光ディスク用のトレイを引き出した状態を示す平面図である。
【００２６】
図１に示すように、データ記録装置１００は、正面にパーソナルコンピュータ（ＰＣ）と同様の５インチベイ１１，１２を２つ備え、下の５インチベイ１１には、光ディスクに対して記録再生可能な光ディスク記録再生装置（ＣＤ−Ｒ／ＲＷドライブ）６を収容している。
【００２７】
また、その上の５インチベイ１２には、メモリーカードリーダ装置１５が装着されている。
【００２８】
また、データ記録装置１００の天井面の正面側には、傾斜した操作板１０が設けられている。操作板１０には、動作を表示するＬＣＤディスプレー７、操作を選択するためのＹＥＳボタン８及びＮＯボタン９が設けられている。
【００２９】
図３に最も良く示されるように、背面１９には、電源スイッチ２３と、電源ソケット２２と、装置内の空気を排気のためのケースファンの排気孔２１を備えた電源部２０を備えている。
【００３０】
図２及び図５に最も良く示されるように、右側面と上面にかけて、格子状の通気孔が設けられている。
【００３１】
また、図５に最も良く示されるように、底面１８の前端側には、幅方向に長く切り込まれた通気孔４３が、前後方向に並んで複数設けられている。
【００３２】
図７に示すように、ＣＤ−Ｒ／ＲＷドライブ６は、正面のイジェクトボタン６ａもしくは、押しボタン８又は９を押すだけで、光ディスクを収容するために窪んだディスク収容部２６を備えたトレイ２５を引き出すことが可能である。尚、符号２７は光ディスクを収容した際に、ＣＤ−ＲＷ内部で読み取り書き込み機構及び光ディスク回転機構を光ディスクに当接若しくは近接させるための孔部である。
【００３３】
図８は図１乃至図７に示したイメージスキャナー装置のブロック図である。図８を参照すると、データ記録装置１００は、ＣＤ−Ｒ／ＲＷドライブ６と、各メモリ読み取り装置、即ち、ＳＤカードリーダ１、コンパクトフラッシュ（登録商標）リーダ２，メモリースチック用リーダ３，ｘＤピクチャーカード用リーダ４，スマートメディア用リーダ５を備えており、その位置はコネクタ（ＣＮ）位置に対応して記載されている。また、ＣＰＵ３１及びランダムアクセスメモリ（ＲＡＭ）３２とを備えている。またＣＤ−Ｒ／ＲＷドライブ６は、ＣＰＵ３１とデータバス３５を介して接続されている。また、ＲＡＭ３２はデータバスライン３４を介してＣＰＵ３１に接続されている。各メモリカードリーダ１，２，３，４，５は、バスライン３３を介してＣＰＵ３１に接続されている。ＣＰＵ３１は、各メモリカードとのインターフェースを備えたＣＰＵであり、メモリカードからの読み出し、ＣＤ−Ｒ／ＲＷへの書き込み等の全ての処理を実行している。ＲＡＭ３２は、メモリーカードから読み出したデータや、プログラム実行のためのデータを格納する。なお、ＣＤ−Ｒ／ＲＷ６は、ＡＴＡＰＩ（ＡＴ  Ａｔｔａｃｈｍｅｎｔ  Ｐａｃｋｅｔ  Ｉｎｔｅｒｆａｃｅ）接続である。
【００３４】
図９は本発明の実施の形態によるイメージスキャナー装置のコネクタ搭載基板構造を示す正面図、図１０は図９の部分平面図である。
【００３５】
図９を参照すると、配線基板５１の一面には、メモリースティック用コネクタ３ａ、ｘＤピクチャーカード用コネクタ４ａ、コンパクトフラッシュ（登録商標）用コネクタ２ａを備えている。また、他面には、スマートメディア用コネクタ５ａ、ＳＤカード用コネクタ１ａを備えている。
【００３６】
また、夫々のカードスロット１ｂ，２ｂ，３ｂ，４ｂ，５ｂには、各メモリーカードがそのカードの種類や名称、記憶容量を示す表示面か常に上面となるように挿入されるように、コネクタが基板の上面もしくは下面に搭載される。
【００３７】
例えば、ｘＤピクチャーカード５７はその接触部が下面側の先端寄りに設けられているので、このコネクタは下側の接点部を備えたコネクタとなり、そのために、コネクタの下面側に基板取り付け部があるために、基板の上面に設けられることになる。
【００３８】
また、ＳＤカード５５は下面先端に接触部を有するので、コネクタ１ａ内のスロット１ｂ内の奥手下側にこの接触部との接点部を備えているが、取付部は上面側に設けられている。
【００３９】
他のスマートメディア５６、コンパクトフラッシュ（登録商標）５８、メモリースティック５９のコネクタも同様な理由から基板の上面又は下面に設けられている。
【００４０】
このように、本発明の実施の形態においては、１枚の基板にすることで、組み立て工数とコストを削減することができる。
【００４１】
また、本発明によれば、各カードのサイズに対応した５種類のコネクタを搭載し、挿入方向も全て表側を上にして配置してあるため、誤挿入を解消することができる。
【００４２】
また、本発明の別の実施の形態においては、上段もしくは下段のコネクタ位置を入れ替えて配置することも可能である。
【産業上の利用可能性】
【００４３】
本発明に係るコネクタ搭載基板構造は、ＰＣ等のメモリカードリーダ装置及びデータ記録装置に適用できる。
【図面の簡単な説明】
【００４４】
【図１】本発明の実施の形態によるメモリカードリーダ装置を備えたデータ記録装置の外観を示す正面図である。
【図２】図１のデータ記録装置の平面図である。
【図３】図１のデータ記録装置の背面図である。
【図４】図１のデータ記録装置の底面図である。
【図５】データ記録装置の右側面である。
【図６】データ記録装置の左側面図である。
【図７】図２の状態から、光ディスク用のトレイを引き出した状態を示す平面図である。
【図８】図１乃至図７に示したデータ記録装置のブロック図である。
【図９】図９は本発明の実施の形態によるデータ記録装置のコネクタ搭載基板構造を示す正面図である。
【図１０】図９の部分平面図である。
【図１１】従来の複数種のメモリカードを読み込めるカードリーダライタ装置のコネクタ部分を備えた基板組み立て体を示す図である。
【符号の説明】
【００４５】
１    ＳＤカードリーダ
１ａ    ＳＤカード用コネクタ
１ｂ，２ｂ，３ｂ，４ｂ，５ｂ    カードスロット
２    コンパクトフラッシュ（登録商標）リーダ
２ａ    コンパクトフラッシュ（登録商標）用コネクタ
３    メモリースチック用リーダ
３ａ    メモリースティック用コネクタ
４    ｘＤピクチャーカード用リーダ
４ａ    ｘＤピクチャーカード用コネクタ
５    スマートメディア用リーダ
５ａ    スマートメディア用コネクタ
６    光ディスク記録再生装置（ＣＤ−Ｒ／ＲＷドライブ）
６ａ    イジェクトボタン
７    ＬＣＤディスプレー
８    ＹＥＳボタン
９    ＮＯボタン
１０    操作板
１１，１２    ５インチベイ
１５    メモリーカードリーダ装置
１８    底面
１９    背面
２０    電源部
２１    排気孔
２２    電源ソケット
２３    電源スイッチ
３１    ＣＰＵ
３２    ランダムアクセスメモリ（ＲＡＭ）
３３    バスライン
３４    データバスライン
３５    データバス
４３    通気孔
５１    配線基板
５５    ＳＤカード
５７    ｘＤピクチャーカード
６２    第２の配線基板
６３，６４    保持部材
１００    データ記録装置
【図１】
2005107945.tif 000003
【図２】
2005107945.tif 000004
【図３】
2005107945.tif 000005
【図４】
2005107945.tif 000006
【図５】
2005107945.tif 000007
【図６】
2005107945.tif 000008
【図７】
2005107945.tif 000009
【図８】
2005107945.tif 000010
【図９】
2005107945.tif 000011
【図１０】
2005107945.tif 000012
【図１１】
2005107945.tif 000013